(57)【特許請求の範囲】
【請求項１】
制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手段を含む無線基地局装置であって、
前記チャネルカード割り当て手段は前記制御チャネルを対象とした追い出し制御を実行する追い出し制御実行手段と、
前記追い出しを実行するたびに前記制御チャネル用カードの運用枚数を判定し、運用上必要枚数以上であれば通話チャネル用カードに切り替えるカード切り替え
手段とを含むことを特徴とする無線基地局装置。
【請求項２】
前記チャネルカード割り当て手段は呼処理系カードと保守系カードとから構成され、これらのカードが前記チャネルカードを制御チャンネル用カードあるいは通話チャネル用カードに割り当てることを特徴とする請求項１記載の無線基地局装置。
【請求項３】
スペクトラム拡散方式の通信に用いられることを特徴とする請求項１または２記載の無線基地局装置。
【請求項４】
制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手順を含むチャネルカードのアサイン方法であって、
前記チャネルカード割り当て手順は前記制御チャネルを対象とした追い出し制御を実行する追い出し制御実行手順と、
前記追い出しを実行するたびに前記制御チャネル用カードの運用枚数を判定し、運用上必要枚数以上であれば通話チャネル用カードに切り替えるカード切り替え
手順とを含むことを特徴とするチャネルカードのアサイン方法。
【請求項５】
前記チャネルカード割り当て手順は呼処理系カードと保守系カードとから構成され、これらのカードが前記チャネルカードを制御チャンネル用カードあるいは通話チャネル用カードに割り当てることを特徴とする請求項４記載のチャネルカードのアサイン方法。
【請求項６】
スペクトラム拡散方式の通信に用いられることを特徴とする請求項４または５記載のチャネルカードのアサイン方法。
【請求項７】
制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手順をコンピュータに実行させるためのアサインプログラムであって、
前記チャネルカード割り当て手順は前記制御チャネルを対象とした追い出し制御を実行する追い出し制御実行手順と、
前記追い出しを実行するたびに前記制御チャネル用カードの運用枚数を判定し、運用上必要枚数以上であれば通話チャネル用カードに切り替えるカード切り替え
手順とを含むことを特徴とするアサインプログラム。
【請求項８】
前記チャネルカード割り当て手順は呼処理系カードと保守系カードとから構成され、これらのカードが前記チャネルカードを制御チャンネル用カードあるいは通話チャネル用カードに割り当てることを特徴とする請求項７記載のアサインプログラム。
【請求項９】
スペクトラム拡散方式の通信に用いられることを特徴とする請求項７または８記載のアサインプログラム。
【発明の詳細な説明】
【０００１】
【発明の属する技術分野】
本発明は無線基地局装置及びそのチャネルカードのアサイン方法並びにアサインプログラムに関し、特にＷ−ＣＤＭＡ（Wideband-Code Division Multiple Access）無線基地局装置に実装される機能の異なるチャネルカードの割り当てアルゴリズムに関する。
【０００２】
【従来の技術】
この種の従来技術の一例が特開２０００−１１５８２８号公報に開示されている。図６は特開２０００−１１５８２８号公報記載のＷ−ＣＤＭＡ方式移動体通信システムの構成図である。同図を参照すると、Ｗ−ＣＤＭＡ方式移動体通信システムは、無線移動局( ＭＳ：Mobile Station) １０１と、無線基地局装置（ＢＴＳ：Base Transceiver Station) １０２と、無線制御装置１０３とから構成される。
【０００３】
又、無線基地局装置１０２が管轄する無線通信サービスエリアは例えば６分割されており、分割された単位をセクタと呼ぶ。各セクタは一つの無線基地局装置１０２によって制御されており、無線通信サービスはセクタ毎に独立して行えるようになっている。
【０００４】
アンテナ部１０４、送受信増幅部１０５及び無線部１０６は、セクタ毎に設けられている。アンテナ部１０４は無線移動局１０１との無線信号の送受信を行う。送受信増幅部１０５は無線信号の送受信を制御する機能と、送受信信号を増幅する機能とを有する。無線部１０６は無線送受信信号とベースバンド信号との相互変換を行う。ベースバンド信号バス１０７は、無線部１０６とチャネル制御部１０８のカード＃０１〜＃ｎ（ｎは正の整数）に付して、ベースバンド信号の送受信用のデータ及び制御信号を入出力するバスである。
【０００５】
チャネル制御部１０８はｎ枚のカード（＃０１〜＃ｎ）からなり、各カードが独立したチャネル制御部として機能する。チャネル制御部１０８の具体的な機能は、各セクタの無線チャネルの送受信制御、送受信信号の組立・分解、エラー判定処理、エラー修復処理である。ここでいう無線チャネルはセクタごとに定義される制御チャネルと、無線基地局装置１０２毎に定義される無線制御装置１０３との間の共有制御チャネルと、無線移動局１０１毎に定義され実際のデータ・音声伝送路となる情報チャネルである。チャネル制御部１０８が処理するチャネルは、一カードが一セクタの情報を集中的に管理するのではなく、一定の割り当て方法でチャネル単位で行われる。
【０００６】
主制御部１０９は、各セクタの無線制御チャネルを一定の割り当て方法でチャネル制御部１０８の各カードに割り当てる。更に、主制御部１０９は無線基地局装置１０２全体の保守・運用・監視・呼接続制御を行う。主制御バス１１０は、チャネル制御部１０８と主制御部１０９及び有線制御部１１１間の制御信号やデータの送受信を行うバスであり、有線制御部１１１は、無線基地局装置１０２と無線制御装置１０３との制御信号及び通信用データの送受信を行う。アラーム線１１２は障害監視通知部（不図示）の障害の有無の確認結果を、チャネル制御部１０８から主制御部１０９に通知する際に用いられる。
【０００７】
一方、Ｗ−ＣＤＭＡ無線基地局装置に実装されるチャネルカード、即ち上述のカード＃０１〜＃ｎ（チャネル制御部１０８）は制御チャネルを処理する為の制御チャネル用カードと通話チャネルを処理する為の通話チャネル用カードとの２種類が存在する。通常、制御チャネル用カードは運用上において必要最低限の枚数がアサイン（assign：割り当て）され、その他が通話チャネル用カードとしてアサインされる。
【０００８】
保守機能における追い出し制御（リソースをあるチャネルカードから別のチャネルカードに移動させるための制御）において対象を制御チャネルとした場合、制御チャネルは通常必要最低限の枚数で運用している為、通話チャネル用カードとして運用しているチャネルカードを制御チャネル用カードに切り替えて追い出し先チャネルカードとしてアサインする。
【０００９】
制御チャネル用カードと通話チャネル用カードはハ−ドウエアが同一であるがソフトウエアがそれぞれ専用である。従って、チャネルカードでは常時それぞれのソフトウエアを搭載しておく事により必要に応じてチャネル種別を切り替える事が可能である。
【００１０】
【発明が解決しようとする課題】
しかし、この従来技術には次のような問題点がある。第１の問題点は、追い出し制御による対象を制御チャネルとした場合、通話チャネル用カードを制御チャネル用カードに切り替えて追い出し先とする為、制御チャネル用カードが増える事となる。これにより運用上必要枚数以上の制御チャネル用カードが存在する事となり通話チャネルのリソース効率が落ちることである。
【００１１】
第２の問題点は、制御チャネルを対象とした追い出し制御を繰り返した場合には通話チャネル用カードが全て制御チャネル用カードに切り替わってしまい通話チャネル用カードが存在しなくなってしまうことである。
【００１２】
そこで本発明の目的は、制御チャネルを対象とした追い出し制御を実施した場合に制御チャネル用カードの運用枚数を運用上必要最低限に調整することが可能な無線基地局装置及びそのチャネルカードのアサイン方法並びにアサインプログラムを提供することにある。
【００１３】
【課題を解決するための手段】
前記課題を解決するために本発明による無線基地局装置は、制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手段を含む無線基地局装置であって、前記チャネルカード割り当て手段は前記制御チャネルを対象とした追い出し制御を実行する追い出し制御実行手段と、前記追い出しを実行するたびに前記制御チャネル用カードの運用枚数を判定し、運用上必要枚数以上であれば通話チャネル用カードに切り替えるカード切り替え手段とを含むことを特徴とする。
【００１４】
又、本発明によるチャネルカードのアサイン方法は、制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手順を含むチャネルカードのアサイン方法であって、前記チャネルカード割り当て手順は前記制御チャネルを対象とした追い出し制御を実行する追い出し制御実行手順と、前記追い出しを実行するたびに前記制御チャネル用カードの運用枚数を判定し、運用上必要枚数以上であれば通話チャネル用カードに切り替えるカード切り替え手順とを含むことを特徴とする。
【００１５】
又、本発明によるアサインプログラムは、制御チャネルを処理するための制御チャネル用カードと前記制御チャネル用カードとは機能の異なる通話チャネルを処理するための通話チャネル用カードとを含むチャネルカードの割り当てをチャネルの運用状態に応じて制御するチャネルカード割り当て手順をコンピュータに実行させるためのアサインプログラムであって、前記チャネルカード割り当て手順は前記制御チャネルを対象とした追い出し制御を実行する追い出し制御実行手順と、前記追い出しを実行するたびに前記制御チャネル用カードの運用枚数を判定し、運用上必要枚数以上であれば通話チャネル用カードに切り替えるカード切り替え手順とを含むことを特徴とする。
【００１６】
本発明によれば、制御チャネルを対象とした追い出し制御を実施した場合に制御チャネル用カードの運用枚数を運用上必要最低限に調整することが可能となる。
【００１７】
即ち、本発明では制御チャネルを対象とした追い出し制御を実施する度に無線基地局装置内の制御チャネル用カードの運用枚数を判定し、運用上必要枚数以上であれば通話チャネル用カードに切り替えて制御チャネル用カードの運用枚数を調整する。これにより、通話チャネルのリソース効率の向上と、システム運用上の保守性の向上とを図ることが可能となる。
【００１８】
【発明の実施の形態】
以下、本発明の実施の形態について添付図面を参照しながら説明する。図１は本発明に係る無線基地局装置のカード構成図である。本発明に係る無線基地局装置の全体構成図は従来例の図６と同様である。もちろん、図６の構成にさらに他の構成部分を含む場合もあり得る。従って、全体構成図については図６を参照することとする。本発明が従来例と異なるのは図６の主制御部１０９の構成及び動作である。即ち、主制御部１０９で実行されるチャネルカードの割り当てアルゴリズムが従来例と全く異なる。
【００１９】
図１を参照すると、本発明におけるカードは３種類存在する。即ち、本発明におけるカードは無線基地局装置１０２内のリソース管理、発着信制御機能を有する呼処理系カード１と、無線基地局装置内の全カードの状態管理、状態制御機能を有する保守系カード２と、各種機能チャネルデータの符号化、復号化機能を有するチャネルカード３（３−０〜３−Ｎ（Ｎは正の整数））とから構成される。
【００２０】
さらに、チャネルカード３については、実装されるソフトウエアによって制御チャネル用として運用する制御チャネル用カード４と、通話チャネル用として運用する通話チャネル用カード５とのどちらとしてでも起動する。
【００２１】
又、呼処理系カード１と保守系カード２とが図６の主制御部１０９に含まれる。即ち、呼処理系カード１と保守系カード２とがチャネルカード３の割り当てを制御する。なお、チャネルカード３は図６のチャネル制御部１０８（カード＃０１〜＃ｎ）に相当する。
【００２２】
図２は本発明に係る無線基地局装置の制御用チャネル追い出し制御時のチャネルカード割り当て手順を示すシーケンス図、図３〜図５は同手順を示すフローチャートである。これらの図を参照しながら追い出し制御時のチャネルカードの割り当て方法について説明する。
【００２３】
図２を参照すると、最上段に左から順に、呼処理系カード１と、保守系カード２と、チャネルカード（ＣＨ１）３−０と、チャネルカード（ＣＨ２）３−１とが一例として表示されており、各カードの下にそのカードの動作が表示されている。本発明では、チャネルカード（ＣＨ１）３−０と、チャネルカード（ＣＨ２）３−１の割り当てが制御される。なお、本発明ではチャネルカードとしてＣＨ１及びＣＨ２の２枚を一例に挙げたが、ＣＨ１及びＣＨ２に限定されるものではなく任意である。例えば、ＣＨ１及びＣＨ３でもよいし、ＣＨ２とＣＨ４でもよいし、ＣＨ３及びＣＨ５でもよい。
【００２４】
まず、追い出し制御は保守系カード２にて実行される（処理１：Ｓ１）。次に、保守系カード２は追い出し元のチャネルカードを指定（本実施形態ではチャネルカード（ＣＨ２）３−１を措定）した追い出し制御要求Ｐ１を呼処理系カード１に送信する（Ｓ２）。次に、呼処理系カード１では指定されたチャネルカード（ＣＨ２）３−１が制御チャネル用チャネルカードであるか否かを判断する（処理２：Ｓ３）。そして、チャネルカード（ＣＨ２）３−１が制御チャネル用チャネルカードであれば、運用中の通話チャネル用チャネルカード（本実施形態ではチャネルカード（ＣＨ１）３−０がこの運用中の通話チャネル用チャネルカードであるとする）に対して呼処理系カード１からチャネル種別切替え要求Ｐ２を送信し（Ｓ４）、追い出し先の制御チャネル用チャネルカードを作り出す。
【００２５】
又、指定された追い出し元の制御チャネル用チャネルカード（ＣＨ２）３−１に対しては追い出し制御要求Ｐ３を送信する（Ｓ５）。チャネル種別切り替え要求Ｐ２により通話チャネル用チャネルカード（ＣＨ１）３−０では自律で制御チャネル用チャネルカードへの切り替えを行い（処理３：Ｓ６）、チャネル種別が切り替わった事をカード状態変化報告Ｐ４にて保守系カード２へ報告する（Ｓ７）。
【００２６】
次に、追い出し制御要求により制御チャネル用チャネルカード（ＣＨ２）３−１では制御チャネルリソースを解放し（処理４：Ｓ８）、自らのチャネル種別を切り替えるべきか否かをチャネル種別問い合わせ要求Ｐ５にて呼処理系カード１へ問い合わせる（Ｓ９）。呼処理系カード１では装置内での制御チャネル用チャネルカードの枚数を判定し（処理５：Ｓ１０）、必要以上に制御チャネル用チャネルカードが存在している場合には（Ｓ１１にてＹの場合）、チャネル種別切り替え要求Ｐ２にて通話チャネル用カードに切り替える事を指示する（Ｓ１２）。
【００２７】
又、この時点で切り替わった追い出し先の制御チャネル用チャネルカード（ＣＨ１）３−０に対して追い出し先リソースの設定を行う（Ｓ１３）。切り替えを指示された追い出し元の制御チャネル用チャネルカード（ＣＨ２）３−１では自律で通話チャネル用チャネルカードへの切り替えを行い（処理６：Ｓ１４）、チャネル種別が切り替わった事をカード状態変化報告Ｐ４にて保守系カード２へ報告する（Ｓ１５）。
【００２８】
一方、Ｓ３にて指定されたチャネルカード（ＣＨ２）３−１が制御チャネル用チャネルカードではない場合は、従来と同様のチャネルカードの割り当てを実行する。又、Ｓ１１にて必要以上に制御チャネル用チャネルカードが存在していない場合は通話チャネル用カードに切り替える事を指示しない。
【００２９】
なお、保守系カード２で保持しているチャネルカードの起動状況は、呼処理系カード１との共有メモリ（不図示）に設定され、呼処理系カード１からの参照が可能である。呼処理系カード１では同情報を元に制御チャネル用チャネルカードの必要枚数を判定し調整する。
【００３０】
以上、無線基地局装置及びそのチャネルカードのアサイン方法について説明したが、このチャネルカードのアサイン方法をプログラム化することも可能である。具体的には、図３〜図５にフローチャートで示される手順をプログラム化しておき、これを図６の図示しない記憶部に格納しておく。図６の主制御部１０９はその記憶部からそのプログラムを読み出し、そのプログラムに従ってチャネルカードの割り当てを実行する。
【００３１】
【発明の効果】
本発明によれば、チャネルカードの割り当てをチャネルの運用状況に応じて制御するチャネルカード割り当て手段を無線基地局装置に含むため、制御チャネルを対象とした追い出し制御を実施した場合に制御チャネル用カードの運用枚数を運用上必要最低限に調整することが可能となる。
【００３２】
又、本発明によるチャネルカードのアサイン方法及びアサインプログラムも上記無線基地局装置と同様の効果を奏する。
【００３３】
具体的には、本発明によれば、無線基地局装置内において効率良くリソース管理を行うことができるという効果がある。その理由は、無線基地局装置内の制御チャネルカードと通話チャネルカードを常に最適数でアサインする事が可能である為である。
【図面の簡単な説明】
【図１】本発明に係る無線基地局装置のカード構成図である。
【図２】本発明に係る無線基地局装置の制御用チャネル追い出し制御時のチャネルカード割り当て手順を示すシーケンス図である。
【図３】同手順を示すフローチャートである。
【図４】同手順を示すフローチャートである。
【図５】同手順を示すフローチャートである。
【図６】特開２０００−１１５８２８号公報記載のＷ−ＣＤＭＡ方式移動体通信システムの構成図である。
【符号の説明】
１  呼処理系カード
２  保守系カード
３  チャネルカード
【図１】
0004018901.tif 000002
【図２】
0004018901.tif 000003
【図３】
0004018901.tif 000004
【図４】
0004018901.tif 000005
【図５】
0004018901.tif 000006
【図６】
0004018901.tif 000007